(57)【特許請求の範囲】
【請求項１】
扉に配設される錠箱に対しスライド自在に設けられ前記扉の前端面から進退されるロック部材を備えた施解錠装置において、
前記錠箱の屋外側に設けられ屋外側からのキーによる操作により前記ロック部材を進退させて施解錠を行う第一シリンダー錠と、
該第一シリンダー錠に連動連結され、該第一シリンダー錠とともに回転する係合爪と、
該係合爪に対向し該係合爪と係合する係合位置と、該係合爪に対して後退し該係合爪との係合が行われない非係合位置との間を移動自在とされる係合片と、
前記錠箱の屋外側に設けられ一方のスライド停止位置で前記係合片を前記非係合位置に移動させ前記第一シリンダー錠を回転自在とし、他方のスライド停止位置で前記係合片を前記係合位置に移動させ前記係合爪と係合させて前記第一シリンダー錠の解錠方向の回転を阻止するとともに、前記係合爪と前記係合片とが係合状態とされる施錠時において前記他方のスライド停止位置よりさらにスライドすることで前記係合片と前記係合爪との係合状態を解く一時退避位置に前記係合片を移動させるスライドボードと、
前記錠箱の屋外側に設けられ屋外側からの前記キーによる操作により、前記スライドボードを前記一方のスライド停止位置又は、前記他方のスライド停止位置に移動させるとともに、該他方のスライド停止位置よりさらに前記スライドボードを移動させる第二シリンダー錠と、
前記錠箱の屋内側に設けられ屋内側からの回転操作により前記ロック部材を進退させて施解錠を行うサムターンと、
前記錠箱の屋内側に設けられ、前記第二シリンダー錠に連動連結されて、前記スライドボードを前記一方のスライド停止位置又は、前記他方のスライド停止位置に移動させる回転操作片と、
を具備したことを特徴とする施解錠装置。
【請求項２】
扉に配設される錠箱に対しスライド自在に設けられ前記扉の前端面から進退されるロック部材を備えた施解錠装置の操作方法において、
屋外側から第一シリンダー錠をキーにて回転操作することで前記ロック部材を突出させて施錠する操作と、
屋外側から前記第一シリンダー錠を前記キーにて回転操作することで前記ロック部材を後退させて解錠する操作と、
屋外側から第二シリンダー錠を前記キーにて一方の方向に回転操作することで前記第一シリンダー錠の前記キーによる前記施錠操作と前記解錠操作とを自在にするシングルロック状態とする操作と、
屋外側から前記第二シリンダー錠を前記キーにて他方の方向に回転操作することで前記第一シリンダー錠の前記キーによる前記施錠操作後の解錠操作を不能とするダブルロック状態とする操作と、
屋内側から前記第二シリンダー錠に連動連結される回転操作片を一方の方向に回転操作することで前記第一シリンダー錠の前記キーによる前記施錠操作と前記解錠操作とを自在にするシングルロック状態とする操作と、
屋内側から前記第二シリンダー錠に連動連結される回転操作片を他方の方向に回転操作することで前記第一シリンダー錠の前記キーによる前記施錠操作後の解錠操作を不能とするダブルロック状態とする操作と、
前記ダブルロック状態の屋外側からの解錠には、前記第二シリンダー錠を前記キーにて前記ダブルロックとする回転操作方向にさらに同方向に回転操作して前記第一シリンダー錠のキー操作不能状態を解除した後、前記第一シリンダー錠を前記キーにて回転操作し前記ロック部材を後退させて解錠する操作、又は該ダブルロック状態の屋内側からの解錠には、サムターンの回転操作のみにより前記ロック部材を後退させて解錠する操作と、
を含むことを特徴とする施解錠装置の操作方法。
【請求項３】
前記第二シリンダー錠による前記第一シリンダー錠のキー操作不能状態の解除は、該第一シリンダー錠の解錠を行う回転操作を一回のみ可能とされ、その後に行われる前記第一シリンダー錠の施錠方向の回転操作後には解錠方向の回転操作を不能とする前記ダブルロック状態とされることを特徴とする請求項２記載の施解錠装置の操作方法。
【発明の詳細な説明】
【０００１】
【発明の属する技術分野】
本発明は、屋内側に一つのサムターンと、屋外側に二つのシリンダー錠とを備えた施解錠装置及びその操作方法に関するものである。
【０００２】
【従来の技術】
施解錠装置には、防犯性能を高めるために、一の扉に二つの錠前を設ける、所謂ワンドア２ロックシステムが従来より採用されている。従来、このワンドア２ロックシステムは、屋外側に２シリンダー、屋内側に２サムターンを装着する、すなわちそれぞれが単独で機能する施解錠装置を２つ設ける構成が一般的である。
このような従来の施解錠装置は、施錠箇所に種々の錠前を設けることができるので、バール等によるこじ開けを困難にし、防犯性能を高めることができる。
【０００３】
【発明が解決しようとする課題】
しかしながら、上述した従来の施解錠装置は、施錠箇所に種々の錠前を設けることができるので、バール等によるこじ開けには強いが、２つのサムターン又は２つのシリンダー錠を、それぞれに操作、すなわち施錠時において及び解除時において２回操作しなければならず、煩雑である。
【０００４】
本発明は上記状況に鑑みてなされたもので、屋外側から及び屋内側から必要に応じてダブルロック状態に操作ができる一方、屋内側から１つのサムターンで施解錠操作ができる施解錠装置及びその操作方法を提供し、もって、防犯性能の向上と、利便性とを同時に達成することを目的とする。
【０００５】
【課題を解決するための手段】
次に、上記の課題を解決するための手段を、実施の形態に対応する図面を参照して説明する。
この発明の施解錠装置１は、扉３に配設される錠箱Ａに対しスライド自在に設けられ前記扉３の前端面から進退されるロック部材を備えた施解錠装置において、
前記錠箱Ａの屋外側に設けられ屋外側からのキー９による操作により前記ロック部材を進退させて施解錠を行う第一シリンダー錠５と、
該第一シリンダー錠５に連動連結され、該第一シリンダー錠５とともに回転する係合爪１７ｂと、
該係合爪１７ｂに対向し該係合爪１７ｂと係合する係合位置と、該係合爪１７ｂに対して後退し該係合爪との係合が行われない非係合位置との間を移動自在とされる係合片３５と、
前記錠箱Ａの屋外側に設けられ一方のスライド停止位置で前記係合片３５を前記非係合位置に移動させ前記第一シリンダー錠５を回転自在とし、他方のスライド停止位置で前記係合片３５を前記係合位置に移動させ前記係合爪１７ｂと係合させて前記第一シリンダー錠５の解錠方向の回転を阻止するとともに、前記係合爪１７ｂと前記係合片３５とが係合状態とされる施錠時において前記他方のスライド停止位置よりさらにスライドすることで前記係合片３５と前記係合爪１７ｂとの係合状態を解く一時退避位置に前記係合片３５を移動させるスライドボード２５と、
前記錠箱Ａの屋外側に設けられ屋外側からの前記キー９による操作により、前記スライドボード２５を前記一方のスライド停止位置又は、前記他方のスライド停止位置に移動させるとともに、該他方のスライド停止位置よりさらに前記スライドボード２５を移動させる第二シリンダー錠７と、
前記錠箱Ａの屋内側に設けられ屋内側からの回転操作により前記ロック部材を進退させて施解錠を行うサムターン４５と、
前記錠箱Ａの屋内側に設けられ、前記第二シリンダー錠７に連動連結されて、前記スライドボード２５を前記一方のスライド停止位置又は、前記他方のスライド停止位置に移動させる回転操作片４７と、
を具備したことを特徴としている。
【０００６】
また、この発明の施解錠装置１の操作方法は、扉３に配設される錠箱Ａに対しスライド自在に設けられ前記扉３の前端面から進退されるロック部材を備えた施解錠装置の操作方法において、
屋外側から第一シリンダー錠５をキー９にて回転操作することで前記ロック部材を突出させて施錠する操作と、
屋外側から前記第一シリンダー錠５を前記キー９にて回転操作することで前記ロック部材を後退させて解錠する操作と、
屋外側から第二シリンダー錠７を前記キー９にて一方の方向に回転操作することで前記第一シリンダー錠５の前記キー９による前記施錠操作と前記解錠操作とを自在にするシングルロック状態とする操作と、
屋外側から前記第二シリンダー錠７を前記キー９にて他方の方向に回転操作することで前記第一シリンダー錠５の前記キー９による前記施錠操作後の解錠操作を不能とするダブルロック状態とする操作と、
屋内側から前記第二シリンダー錠７に連動連結される回転操作片４７を一方の方向に回転操作することで前記第一シリンダー錠５の前記キー９による前記施錠操作と前記解錠操作とを自在にするシングルロック状態とする操作と、
屋内側から前記第二シリンダー錠７に連動連結される回転操作片４７を他方の方向に回転操作することで前記第一シリンダー錠５の前記キー９による前記施錠操作後の解錠操作を不能とするダブルロック状態とする操作と、
前記ダブルロック状態の屋外側からの解錠には、前記第二シリンダー錠７を前記キー９にて前記ダブルロックとする回転操作方向にさらに同方向に回転操作して前記第一シリンダー錠５のキー操作不能状態を解除した後、前記第一シリンダー錠５を前記キー９にて回転操作し前記ロック部材を後退させて解錠する操作、又は該ダブルロック状態の屋内側からの解錠には、サムターン４５の回転操作のみにより前記ロック部材を後退させて解錠する操作と、
を含むことを特徴としている。
【０００７】
なお、前記第二シリンダー錠７による前記第一シリンダー錠５のキー操作不能状態の解除は、該第一シリンダー錠５の解錠を行う回転操作を一回のみ可能とされ、その後に行われる前記第一シリンダー錠５の施錠方向の回転操作後には解錠方向の回転操作を不能とする前記ダブルロック状態とされることとしてもよい。
【０００８】
【発明の実施の形態】
以下、本発明に係る施解錠装置及びその操作方法の好適な実施の形態を図面を参照して詳細に説明する。
図１は本発明に係る施解錠装置の縦断面図、図２は図１の台座ユニットを屋内側から視た正面図、図３は図２におけるイ−イ線矢視図、図４は施解錠装置の要部分解斜視図である。
【０００９】
図１に示すように、施解錠装置１は、扉３に配設される錠箱Ａと、錠箱Ａに対して屋外側に取り付けられる台座ユニットＣと、錠箱Ａに対して屋内側に取り付けられるサムターンユニットＤとにより大別して構成される。
【００１０】
錠箱Ａは、例えば扉３の端部に内蔵され、錠箱Ａに固定された図示しないフロント板が扉３の木口（前端面）に露出して取り付けられる。この錠箱Ａ内には、図示しないロック部材が内蔵される。このロック部材は、後述の第一シリンダー錠５、サムターン４５の操作によって、錠箱Ａに対しスライドし、扉３のフロント板から進退されるようになっている。つまり、扉枠に対しての施解錠を可能とする。ここでは、その具体的な機構の説明は省略する。
【００１１】
なお、このロック部材としては、扉枠側に取り付けられたガードアームに係止してドアチェーンと同様の働きをするガードボルト、主施錠手段となるデッドボルト、円弧状の可動軌跡を描いて突出されるカマデット、扉３の上端面或いは下端面から進退して扉枠に係合するロック手段等が含まれる。
【００１２】
台座ユニットＣには、第一シリンダー錠５と、第二シリンダー錠７とが上下に設けられる。第一，第二シリンダー錠５，７は、図４に示すキー９の挿入口が屋外側に露出する一方、キー操作により回転される図１の回転軸１１，１３が、台座ユニットＣの内部に突出されている。この第一，第二シリンダー錠５，７は、同一のキー９によって回転操作される。
【００１３】
なお、キー９には、オーナーキー９と、例えば図示しないコンスキーとを備えている。コンスキーは、オーナーキー９に比べて短尺で少ない凹凸溝（キー溝）９ａで形成される。コンスキーは、建物引渡し前の工事期間中における施工時の戸締り用等として使用される。このコンスキーは、建物引渡し後、オーナーキー９が使用されると、少ないキー溝では対応できないシリンダーが作動されてしまうため、解施錠には使用不能となる。
【００１４】
第一シリンダー錠５の回転軸１１には連結ダルマ１５が相対回転不能に嵌合され、連結ダルマ１５は回転軸１１と一体回転する。連結ダルマ１５には、図５に示すように、軸心方向に突出する突起板１５ａと、外周面に対となって突設される係合突起１５ｂとが設けられている。第一シリンダー錠５は、突起板１５ａが錠箱Ａ内に突出され、回転軸１１によって回転される突起板１５ａによって、錠箱Ａ内の機構を介してロック部材を錠箱Ａから進退可能としている。
【００１５】
連結ダルマ１５の外周には、ラチェットギア１７が嵌合されている。ラチェットギア１７は、図６に示すように、略リング状に形成され、穴部１７ｃに中心方向へ突出し互いに向き合う一対の凸部１７ａ，１７ａと、外周面に半径方向に突出する係合爪１７ｂと、クリック歯１７ｄとが設けられている。なお、係合爪１７ｂ及びクリック歯１７ｄは、ラチェットギア本体の厚さに対してやや薄く形成されて略板状に形成されている。また、本実施の形態では、係合爪１７ｂは、中心に対し４５°間隔で一対突設され、さらにクリック歯１７ｄには、中心に対し４５°間隔に３カ所の凹部が形成される。
【００１６】
そして、ラチェットギア１７は、穴部１７ｃの一対の凸部１７ａ，１７ａ間に連結ダルマ１５の一対の係合突起１５ｂ，１５ｂがそれぞれ位置し、穴部１７ｃに突起板１５ａが挿通状態とされて、係合突起１５ｂ，１５ｂ間を相対回転可能とされて第１シリンダー錠５に連動するようになっている。
【００１７】
ラチェットギア１７の外周には、リセットギア１８が相対回転自在に嵌合されている。リセットギア１８は図７に示すように略円板形状で、板面に連結ダルマ１５の突起板１５ａが貫通する穴部１８ａを有するとともに、この穴部１８に連なる一対の凹部１８ｂが穿設される。また、リセットギア１８の外周縁には、半径方向に突出するリセット爪１８ｃが一対突設されている。
このリセットギア１８は、第１シリンダー錠５の回転には連動せず、後述するサムターン４５の軸４５ｂの回転に連動して連結ダルマ１５に対して回転動作する。
【００１８】
第二シリンダー錠７の回転軸１３には切換ダルマ１９が相対回転不能に嵌合され、切換ダルマ１９は回転軸１３と一体回転する。切換ダルマ１９には、図８に示すように、円周から直径方向に突出するカム板１９ａが設けられている。このカム板１９ａには、切換ダルマ１９の軸心と同方向に突出する連結突起１９ｂと、バネピン１９ｃが設けられている。また、この切換ダルマ１９の第２シリンダー錠７の嵌合される端部と反対の屋内側となる端部には、軸心部分に溝状の嵌合凹部１９ｄが形成される。
【００１９】
台座ユニットＣには、錠箱Ａと対向する面に図４に示す凹部２１が形成されている。上述の連結ダルマ１５，ラチェットギア１７，リセットギア１８，切換ダルマ１９は、この凹部２１内に配置される。
【００２０】
凹部２１内には、図２に示すように、第１シリンダー錠５が配置される上方部分で、連結ダルマ１５，ラチェットギア１７，リセットギア１８に隣接する側部に、クリックプレート１６が配置される。クリックプレート１６は、図９に示すように、上端に貫通する軸穴１６ａを有し、下端には側方へ突出する鉤状のクリック爪１６ｂを有している。軸穴１６ａには支持軸２３が貫通されて先端のクリック爪１６ｂを揺動自在として凹部２１内に取り付けられる。また、クリックプレート１６には支持軸２３に巻装され、一端が凹部２１側壁に、他端がクリックプレート１６の掛止片１６に掛かる捩じりコイルバネよりなるクリックプレートバネ２４が設けられている。そして、このクリックプレート１６は、図２に示すように、先端のクリック爪１６ｂがラチェットギア１７のクリック歯１７ｄに当接し、このラチェットギア１７の回転時に、クリック歯１７ｄの凹部に嵌入して、ラチェットギア１７の回転動作に、４５°毎のクリック感が生じるようになる。
【００２１】
凹部２１内の底面に沿い、この底面と第二シリンダー錠７に嵌合される切換ダルマ１９のカム板１９ａとの間には、図２及び図４に示すように、スライドボード２５が設けられている。スライドボード２５は、凹部２１の内側壁に両側端縁が摺接され、凹部２１で上下方向（図２における上下方向）にスライド自在となっている。なお、本明細書中では、スライドボード２５の上方のスライド停止位置（図１９に示した位置）を一方のスライド停止位置、スライドボード２５の下方のスライド停止位置（図２に示した位置）を他方のスライド停止位置と称する。
【００２２】
図１０に示すように、スライドボード２５は、略逆Ｌ字状に形成され、上辺部には、連結ダルマ１５の外周縁に沿う逃げ部２５ａが切り欠かれている。逃げ部２５ａの下部中央にはクリック軸遊嵌溝２５ｂが切り欠かれている。また、スライドボード２５の下辺部には、切換ダルマ１９の円周に沿う中央切欠２５ｄが切り欠かれている。この中央切欠２５ｄの左部には溝２５ｅが切り欠かれている。また、スライドボード２５には、上辺部右部に、上下方向にやや長尺な矩形状の貫通穴２５ｆと板面に対して突出する畦状突起２５ｇが並列して設けられる。貫通穴２５ｆの上縁と下縁には、傾斜面２５ｈ，２５ｊが形成されている。
【００２３】
スライドボード２５は、溝２５ｅに切換ダルマ１９の連結突起１９が遊嵌され、クリック軸遊嵌溝２５ｂが凹部２１中央に立設する筒状のクリック軸２９に遊嵌されて、切換ダルマ１９の回転に連動して、上下にスライド移動する。切換ダルマ１９のバネピン１９ｃには、図２に示すクリックバネ３１の一端が支持され、このクリックバネ３１の他端がクリック軸２９に支持される。つまり、クリックバネ３１は、台座ユニットＣと切換ダルマ１９との間に亘って配設され、この切換ダルマ１９を介してスライドボード２５を一方のスライド停止位置又は他方のスライド停止位置に付勢するようになっている。
【００２４】
凹部２１内の、第二シリンダー錠７の下部には、図２に示すように、プッシャー２７が配設される。このプッシャー２７は、図１１に示すように、基端に貫通穴２７ａが穿設され、先端に板状の押圧支持部２７ｂが形成されている。プッシャー２７は、基端の貫通穴２７ａに取付柱３３が貫通して凹部２１内に取り付けられる。取付柱３３には押圧バネ３４が巻装され、一端が凹部２１の側壁に当接し、他端がプッシャー２７の押圧支持部２７ｂの下面に当接する。そして、プッシャー２７は取付柱３３に対して揺動自在とされるとともに、先端の押圧支持部２７ｂが押圧バネ３４の付勢力によりスライドボード２５の下縁に当接する。なお、このプッシャー２７は、凹部２１内に形成される規制段部２１ａにより、押圧支持部２７ｂが水平位置より上方へ回動しないように設定される。
【００２５】
図２に示すように、スライドボード２５の板面に沿い、このスライドボード２５と略平行となり、切換ダルマ１９の側方に位置して、係合片としてのラチェットアーム３５が配置される。ラチェットアーム３５は、図１２に示すように、上下に長尺な略短冊板状に形成され、下端となる基部に貫通穴３５ａが穿設され、上端となる先端が係合部３５ｂとされる。中途部分には係止凸部３５ｃが板面に突設され、コイルバネよりなる切換バネ３６が取り付けられ、上半部中途位置にはスライドボード２５の方向に突出する案内突起３５ｄが形成される。また、先端の板面にはガイド片３５ｅが突設される。このラチェットアーム３５は、図２に示すように、凹部２１に立設される揺動支持軸３７に貫通穴３５ａが貫通して凹部２１内に配設され、切換ダルマ１９の側方から上方へ延び、中途部分がスライドボード２５に平行となって、先端の係合部３５ｂがラチェットギア１７に近接する。揺動支持軸３７にはラチェットバネ３８が巻装され、このラチェットバネ３８の一端は凹部２１側壁に当接し、他端がラチェットアーム３５の係止溝３５ｆに掛けられて、先端の係合部３５ｂをラチェットギア１７に当接させる方向に常に付勢するようになっている。また、このラチェットアーム３５の案内突起３５ｄは、ダブルロック状態時にはスライドボード２５の貫通穴２５ｆ内に嵌入している（図３参照）。なお、切換バネ３６は、このラチェットアーム３５と、カバープレート３９との間に位置し、カバープレート３９に対してラチェットアーム３５を凹部２１底面方向に常に付勢する。
すなわち、このラチェットアーム３５の係合部３５ｂとラチェットギア１７の係合爪１７ｂとが係合状態であるときに、第一シリンダー錠５の解錠方向の回転を阻止し、係合部３５ｂと係合爪１７ｂとが係合していない状態であるときに第一シリンダー錠５を回転自在とする。
【００２６】
なお、このラチェットギア３５の動作において、ラチェットバネ３８と切換バネ３６の双方が付勢力を働かせ、先端の係合部３５ｂがラチェットギア１７の係合爪１７ｂの移動軌跡上で、この係合爪１７ｂと係合する位置を係合位置とし、ラチェットバネ３８と切換バネ３６の双方の付勢力に抗して、先端の係合部３５ｂがラチェットギア１７の係合爪１７ｂの移動軌跡より退き、この係合爪１７ｂと係合しない位置を非係合位置とし、また、ラチェットバネ３８と切換バネ３６の双方が付勢力を有した状態であるが、先端の係合部３５ｂがラチェットギア１７の係合爪１７ｂの移動軌跡から外れてラチェットギア１７外周面に当接して係合爪１７ｂと係合しない位置を一時退避位置と称する。
【００２７】
連結ダルマ１５，ラチェットギア１７，リセットギア１８，切換ダルマ１９，クリックプレート１６，底板２３，スライドボード２５，プッシャー２７，ラチェットアーム３５の収容された凹部２１は、図１３に示すカバープレート３９によって塞がれる。カバープレート３９には、連結ダルマ１５，ラチェットギア１７，リセットギア１８を露出させる上部穴３９ａと、切換ダルマ１９を露出させる下部穴３９ｂと、クリック軸２９の中空穴と一致する固定孔３９ｃと、取付孔３９ｄ、及び取付柱３３が貫通する挿通穴３９ｅとが穿設されている。カバープレート３９は、図１に示すように、固定穴３９ｃに挿通された皿ビス、取付孔３９ｄに挿通されたビスにより台座ユニットＣに固定される。
なお、上部穴３９ａには、図１３に示すように、スリット状の逃げ穴３９ｆが穿設される。この逃げ穴３９ｆは、ラチェットアーム３５先端のガイド片３５ｅが嵌入可能なようになっている。
【００２８】
図１に示すように、サムターンユニットＤの上部には、屋内側に摘み部４５ａを露出させるサムターン４５が回転自在に設けられる。サムターン４５の摘み部４５ａには錠箱Ａ内に突出する軸部４５ｂが固着される。この軸部４５ｂは、第一シリンダー錠５と同軸線上となる。サムターン４５は、回転させることにより、軸部４５ｂを介して錠箱Ａ内の機構部を作動させ、ロック部材を扉３のフロント板から進退させ、施解錠を可能としている。また、軸部４５ｂの解錠方向の回転は、錠箱Ａ内の機構部を介してリセットギア１８に伝達されるようになっている。
【００２９】
また、サムターンユニットＤの下部には、図１及び図４に示すように、屋内側に溝ボタン４８を露出させる回転操作片４７が回転自在に設けられる。回転操作片４７は、この溝ボタン４８に、錠箱Ａ内を貫通し台座ユニットＡへ延出するキーバー４９が固着される。このキーバー４９は、第二シリンダー錠７と同軸線上となる。キーバー４９は、先端が切換ダルマ１９の嵌合凹部１９ｄに嵌入し、回転が連動される。回転操作片４７は、溝ボタン４８を回転させることにより、キーバー４９を介して切換ダルマ１９を回転させ、シングルロック状態とダブルロック状態とを屋内側から操作できるようになっている。
【００３０】
次に、このように構成される施解錠装置１の作用を説明する。
〔屋内側からの操作について〕
サムターン４５による施解錠操作については、４５°回転でガードロック状態（図１５参照）、同方向に９０°回転で施錠操作、反対方向に９０°回転で解錠操作が行える（図１８，２０参照）。このサムターン４５による操作は、屋外側からのキー９による第一シリンダー錠５及び第二シリンダー錠７（屋外側シリンダー）のシングルロック、ダブルロック状態に関係なく可能となる。
【００３１】
また、回転操作片４７の溝ボタン４８の操作によって、屋外側の第一シリンダー錠５及び第二シリンダー錠７のキー９による操作をシングルロック状態若しくはダブルロック状態に切り換える。この溝ボタン４８によるロック状態の切換操作は、解錠状態，ガードロック状態，施錠状態のいずれの状態にあっても可能である。すなわち、屋外側からのキー９による操作にて、例えばシングルロック状態とされている場合でも、屋内側からダブルロック状態に切り換えることが可能となる。なお、本実施の形態では、溝ボタン４８の溝４８ａが水平な状態の際にダブルロック状態（図１８参照）、４５°傾斜した状態の場合がシングルロック状態（図２０参照）を表すようになっており、容易に視認が可能となる。
【００３２】
なお、この屋内側のサムターン４５の回転操作は、リセットギア１８の回転も行われ、このリセットギア１８に設けられるリセット爪１８ｃが回転する。このリセット爪１８ｃは、後述するダブルロック時におけるラチェットアーム３５のガイド片３５ｅに当接可能となり、ダブルロック解除時にラチェットアーム３５先端の係合部３５ｂが一時退避位置にあるときに、それを解除するようになっている。
【００３３】
〔屋外側からの操作について〕
１．ダブルロック…施解錠が２動作必要である機構（防犯性重視型）
（ｉ）まず、第二シリンダー錠７を、キー９にて、水平な状態から図１４中反時計回り方向に４５°回転させると、ダブルロック状態となる。このとき、屋内側の溝ボタン４８は溝４８ａが水平な状態となる。
この第二シリンダー錠７の操作により、施解錠装置１は、スライドボード２５が、図１４に示すように、他方のスライド停止位置である凹部２１内の下方となる。このダブルロック状態ではラチェットアーム３５の案内突起３５ｄがスライドボード２５の貫通穴２５ｆ内に嵌入し（図１４（ｃ）参照）、またこの嵌入状態を切換バネ３６が付勢し、これによりラチェットアーム３５先端の係合部３５ｂがラチェットギア１７の係合爪１７ｂの回転軌跡上である係合位置に位置し（図１４（ｂ）参照）、この係合爪１７ｂと係合して、ラチェットギア１７の回転を阻止し、すなわち第一シリンダー錠５の解錠方向の回転を阻止する。これにより、第一シリンダー錠５の解錠操作はできなくなる。
この第二シリンダー錠７の操作は、第１シリンダー錠５が施錠状態（図１４参照）、ガードロック状態（図１５参照）、解錠状態（図２２参照）のいずれの状態であっても行うことが可能である。
【００３４】
なお、第一シリンダー錠５が施錠状態である場合に上記操作にてダブルロック状態とすると、図１４に示すように、ラチェットギア１７の一方の係合爪１７ｂに係合することとなる。また第一シリンダー錠５側がガードロック状態である場合で上記操作にてダブルロック状態とすると、図１５に示すように、ラチェットギア１７が４５°回転してる状態であり、他方の係合爪１７ｂに係合することとなる。さらに、第一シリンダー錠５が、解錠状態である場合で上記操作にてダブルロック状態とすると、図２２に示すように、ラチェットギア１７の各係合爪１７ｂがラチェットアーム３５先端の係合部３５ｂの下方に位置するが、第１シリンダー錠５をキー９にて施錠操作を行うことで、ラチェットギア１７の係合爪１７ｂがラチェットアーム３５のラチェットバネ３８の付勢力に抗して通過し、その後に係合部３５ｂに係合爪１７ｂが係合することとなる。
また、キー９を第二シリンダー錠７から抜脱するには、キー９を水平な状態に戻す。
【００３５】
（ii）このダブルロック状態からの解錠操作は、まず、第二シリンダー錠７を水平な状態から上記と同じ方向に４５°回転させるとともに、さらに約１０．５°回転させる（図１６中反時計回り方向）。すると、切換ダルマ１９によってスライドボード２５が図１６に示す他方のスライド停止位置（図中下方）からさらに下方へスライド移動される。このとき、スライドボード２５は、その下縁をプッシャー２７に支持されて他方のスライド停止位置に停止している状態から、プッシャー２７の押圧バネ３４の付勢力に抗して図１６中反時計回り方向にプッシャー２７を揺動させる。同時にスライドボード２５の下方への移動により、ラチェットアーム３５は、案内突起３５ｄがスライドボード２５の貫通穴２５ｆの上縁の傾斜面２５ｈを摺接して、この案内突起３５ｄをスライドボード２５の板面上へと移動させ、切換バネ３６の付勢力に抗して、カバープレート３９側に揺動する（図１６（ｂ）（ｃ）参照）。これにより、図１７に示すように、ラチェットアーム３５の係合部３５ｂは、ラチェットギア１７の係合爪１７ｂに対してカバープレート３９側に退いて一時退避位置に移動して、互いの係合状態を解くこととなり、第一シリンダー錠５のロック状態が解除される。この状態においては、ラチェットアーム３５先端の係合部３５ｂは、図１７（ｂ）（ｃ）に示すように、係合爪１７ｂの側面、及びラチェットギア１７の外周面に当接状態となる。
その後、キー９を第二シリンダー錠７より抜脱するために、水平な状態に回転を戻され、スライドボード２５はプッシャー２７により他方のスライド停止位置に戻る。
【００３６】
（iii ）従って、（ii）の操作により、第一シリンダー錠５は、ラチェットギア１７がラチェットアーム３５から規制を受けなくなり、解錠操作ができるようになり、すなわち、キー９にて第一シリンダー錠５を回転操作（図中２２時計回り方向）することで解錠となる。なお、この第一シリンダー錠５の解錠方向の回転は９０°である。
【００３７】
（iv）この（ii）及び（iii ）の操作により第一シリンダー錠５をキー９にて解錠操作すると、第一シリンダー錠５とともにラチェットギア１７が同方向（図２２中時計回り方向）に回転する。これによりラチェットギア１７の係合爪１７ｂが移動し、この係合爪１７ｂの側面をラチェットアーム３５先端の係合部３５ｂが摺動するが、係合爪１７ｂの端部を通過することでラチェットアーム３５はラチェットギア３５の外周面を係合爪１７ｂの移動軌跡上側に、すなわち切換バネ３６の付勢力により、係合位置へと移動することとなる。
これは、上述した第一シリンダー錠５の解錠状態であり、ダブルロック状態である（図１４参照）。
【００３８】
（ｖ）従って、再度、第一シリンダー錠５をキー９の回転操作により施錠状態とすると、ラチェットギア１７が回転してラチェットアーム３５と互いに係合することとなり、この第一シリンダー錠５の解錠操作は不可能となる。すなわち解錠させるには、再度上記（ii）の操作を行うこととなる。
【００３９】
２．シングルロック…解錠が１動作でできる機構（操作性重視型）
（ｉ）第二シリンダー錠７を、キー９にて、水平な状態から図１９中時計回り方向に４５°回転させると、シングルロック状態になる。このとき屋内側の溝ボタン４８は溝４８ａが４５°傾斜した状態となる。
この第二シリンダー錠７の操作により、施解錠装置１は、スライドボード２５が、切換ダルマ１９の回転によって、図１９（ａ）に示すように、一方のスライド停止位置である凹部２１内の上方となる。このシングルロック状態では図１９（ｃ）に示すようにラチェットアーム３５の案内突起３５ｄがスライドボード２５の貫通穴２５ｆの下縁の傾斜面２５ｊを摺接して、この案内突起３５ｄをスライドボード２５の板面上へと移動させ、切換バネ３６の付勢力に抗して、カバープレート３９側に揺動させる（図１９（ｂ）参照）。またこのスライドボード２５上となる案内突起３５ｄは、スライドボード２５の畦状突起２５ｇに当接して、ラチェットバネ３８の付勢力に抗してラチェットアーム３５先端のラチェットギア１７への近接方向の揺動を抑える。これにより、ラチェットアーム３５の係合部３５ｂは、ラチェットギア１７の係合爪１７ｂに対して退き、互いが係合しない非係合位置となり、第一シリンダー錠５はロック状態とならずに、通常の１シリンダー錠と同様のキー９による操作となる。すなわち、第二シリンダー錠７を操作することなく、第一シリンダー錠５のみの施解錠が行われることとなる（図２１参照）。
【００４０】
（ii）そして、このシングルロック状態では、切換ダルマ１９が、クリックバネ３１の付勢力によって４５°傾いた状態を保持されることとなり、スライドボード２５の一方のスライド停止位置が維持されることから、第二シリンダー錠７をキー９、または屋内側からの溝ボタン４８の操作が行われない限り、そのシングルロック状態が保持されることとなる。
【００４１】
なお、この第二シリンダー錠７の、シングルロック状態とダブルロック状態との切換操作は、上述した屋内側の溝ボタン４８の操作による切換操作と同様に、解錠状態，ガードロック状態，施錠状態のいずれの状態であっても可能である。
【００４２】
このように、上述の施解錠装置１では、屋外側からの操作時、第二シリンダー錠７をキー９にて操作することで、シングルロック状態とダブルロック状態とに切り換えられることとなる。シングルロック状態の場合では、第一シリンダー錠５のみのキー操作にて施解錠が行え、すなわち通常の１シリンダー錠前と同様の施解錠装置となる。また、ダブルロック状態とされると、ラチェットギア１７の係合爪１７ｂとラチェットアーム３５の係合部３５ｂとが係合しあうことで、第一シリンダー錠５の回転を阻止することとなり、この第一シリンダー錠５のキー９による解錠操作が不可能となる。
【００４３】
ダブルロック状態の施解錠装置１を屋外側から解錠するには、第二シリンダー錠７をキー９にて操作し、第一シリンダー錠５の回転の阻止状態を解除する。すなわち、ラチェットギア１７の係合爪１７ｂとラチェットアーム３５の係合部３５ｂとの係合状態を解くことで行う。このダブルロック状態の解除操作は、屋外側からのキー９による操作が、係合部３５ｂを一時退避位置へと移動させることで行われ、この一時退避位置は、その後に第一シリンダー錠５を施錠操作することで、再び係合位置に、すなわち係合部３５ｂが係合爪１７ｂと係合する係合位置に移動させ、ダブルロック状態を保持することとなり、別言すると、この第二シリンダー錠７を操作するダブルロック状態の解錠操作は、一度のみ解錠するモードとなる。
【００４４】
一方、ダブルロック状態の施解錠装置１を屋内側から解錠するには、サムターン４５が回転操作される。また、このダブルロック状態とシングルロック状態とを第二シリンダー錠７に連動連結される回転操作片４７の溝ボタン４８にて切換操作が行われる。
【００４５】
従って、この施解錠装置１によれば、屋内側から必要に応じてダブルロック状態とシングルロック状態とに切換操作ができ、また、１サムターンで施解錠操作ができ、屋外側からも、ダブルロック状態とシングルロック状態に切換操作でき、かつダブルロック状態においては、解錠操作を一度のみの操作に設定でき、防犯性能の向上と、利便性とを同時に達成することができるようになる。
【００４６】
【発明の効果】
以上詳細に説明したように、本発明に係る施解錠装置は、屋外側から第二シリンダー錠をキーにて操作することで、シングルロック状態とダブルロック状態とに切り換えられることが可能である。シングルロック状態の場合では、第一シリンダー錠のみのキー操作にて施解錠が行え、すなわち通常の１シリンダー錠前と同様の施解錠装置となる。また、ダブルロック状態とされると、係合爪と係合片とが係合しあうことで、第一シリンダー錠の回転が阻止されることとなり、この第一シリンダー錠のキーによる解錠操作が不可能となる。
【００４７】
ダブルロック状態の施解錠装置を屋外側から解錠するには、第二シリンダー錠をキーにて操作し、第一シリンダー錠の回転の阻止状態を解除する。すなわち、係合爪と係合片との係合状態を解くことで行われ、その解除操作は、屋外側からのキーによる第二シリンダー錠の回転操作が、係合片を一時退避位置へと移動させることで行われる。この一時退避位置は、その後に第一シリンダー錠を施錠操作することで、再び係合位置に、すなわち係合片が係合爪と係合する係合位置に移動させ、ダブルロック状態を保持することとなり、別言すると、この第二シリンダー錠を操作するダブルロック状態の解錠操作は、一回のみ解錠することのできる状態とされ、防犯性が向上するものである。
【００４８】
一方、ダブルロック状態の施解錠装置を屋内側から解錠するには、サムターンの回転操作で行われ、また、このダブルロック状態とシングルロック状態とを第二シリンダー錠に連動連結される回転操作片にて切換操作を行うことが可能である。
【００４９】
従って、この施解錠装置及びその操作方法によれば、屋内側から必要に応じてダブルロック状態とシングルロック状態とに切換操作ができ、また、１サムターンで施解錠操作ができ、屋外側からも、ダブルロック状態とシングルロック状態に切換操作でき、かつダブルロック状態においては、屋外側からでは解錠操作を一回のみ可能な操作に設定でき、防犯性能の向上と、利便性とを同時に達成することができるようになる。
【図面の簡単な説明】
【図１】本発明に係る施解錠装置の縦断面図である。
【図２】図１の台座ユニットを屋内側から視た正面図である。
【図３】図２におけるイ−イ線矢視図である。
【図４】施解錠装置の分解斜視図である。
【図５】連結ダルマの拡大斜視図である。
【図６】ラチェットギアの拡大斜視図である。
【図７】リセットギアの拡大斜視図である。
【図８】切換ダルマの拡大斜視図である。
【図９】クリックプレートの拡大斜視図である。
【図１０】スライドボードの拡大斜視図である。
【図１１】プッシャーの拡大斜視図である。
【図１２】係合片（ラチェットアーム）の拡大斜視図である。
【図１３】カバープレートの拡大斜視図である。
【図１４】（ａ）本発明に係る施解錠装置のダブルロック施錠状態時の縦断面図である。
（ｂ）同一部拡大平面図である。
（ｃ）同一部拡大側面図である。
【図１５】本発明に係る施解錠装置のガードロック状態時の縦断面図である。
【図１６】（ａ）本発明に係る施解錠装置のダブルロック一回解錠操作状態時の縦断面図である。
（ｂ）同一部拡大平面図である。
（ｃ）同一部拡大側面図である。
【図１７】（ａ）本発明に係る施解錠装置のダブルロック一回解錠可能状態時の縦断面図である。
（ｂ）同一部拡大平面図である。
（ｃ）同一部拡大側面図である。
【図１８】本発明に係る施解錠装置のサムターン操作時におけるダブルロック解錠状態時の縦断面図である。
【図１９】（ａ）本発明に係る施解錠装置のシングルロック施錠状態時の縦断面図である。
（ｂ）同一部拡大平面図である。
（ｃ）同一部拡大側面図である。
【図２０】本発明に係る施解錠装置のサムターン操作時におけるシングルロック解錠状態時の縦断面図である。
【図２１】本発明に係る施解錠装置のシリンダー操作時におけるシングルロック解錠状態時の縦断面図である。
【図２２】本発明に係る施解錠装置のシリンダー操作時におけるダブルロック解錠状態時の縦断面図である。
【符号の説明】
１…施解錠装置
３…扉
５…第一シリンダー錠
７…第二シリンダー錠
９…キー
１７ｂ…係合爪
２５…スライドボード
３５…係合片（ラチェットアーム）
４５…サムターン
４７…回転操作片
Ａ…錠箱
【図１】
0003903408.tif 000002
【図２】
0003903408.tif 000003
【図３】
0003903408.tif 000004
【図４】
0003903408.tif 000005
【図５】
0003903408.tif 000006
【図６】
0003903408.tif 000007
【図７】
0003903408.tif 000008
【図８】
0003903408.tif 000009
【図９】
0003903408.tif 000010
【図１０】
0003903408.tif 000011
【図１１】
0003903408.tif 000012
【図１２】
0003903408.tif 000013
【図１３】
0003903408.tif 000014
【図１４】
0003903408.tif 000015
【図１５】
0003903408.tif 000016
【図１６】
0003903408.tif 000017
【図１７】
0003903408.tif 000018
【図１８】
0003903408.tif 000019
【図１９】
0003903408.tif 000020
【図２０】
0003903408.tif 000021
【図２１】
0003903408.tif 000022
【図２２】
0003903408.tif 000023